(57)【特許請求の範囲】
【請求項１】
自身に対してアクセス権が設定されているホームセルを管理する場合に、マクロセルと、前記ホームセルとを関連付けるように構成されている管理部と、
前記管理部において管理されたマクロセルに在圏し、かつ前記マクロセルからの報知情報を受信した場合に、該マクロセルに関連付けられて管理されている前記ホームセルにおける無線品質と、待ち受けセルにおける無線品質との比較結果に応じて、該ホームセルにおける待ち受けを試みるためのセルサーチ処理を起動するか否かについて判定するように構成されている待ち受け処理部とを具備し、
前記待ち受け処理部は、前記管理部によって管理されているマクロセルに該当しないセルでは、ホームセルに対するセルサーチ処理を起動しないことを特徴とする移動局。
【請求項２】
前記待ち受け処理部は、受信した前記報知情報に含まれるオフセット値と前記ホームセルにおける無線品質との和が、前記マクロセルにおける無線品質を上回る場合に、該ホームセルにおける待ち受けを開始するように構成されていることを特徴とする請求項１に記載の移動局。
【請求項３】
前記管理部は、位置登録処理或いは呼接続処理の際に、ネットワーク装置によって通知された情報に基づいて、前記マクロセルと前記ホームセルとを関連付けて管理するように構成されていることを特徴とする請求項１に記載の移動局。
【請求項４】
前記待ち受け処理部は、前記マクロセルからの報知情報において、前記ホームセル用のプライマリスクランブリングコード、ＰＣＩ或いは周波数が通知されている場合に、該ホームセルのサーチ及び待ち受けを開始するように構成されていることを特徴とする請求項１に記載の移動局。
【請求項５】
移動局における待ち受け方法であって、
前記移動局が、マクロセルに在圏し、かつ前記マクロセルからの報知情報を受信した場合に、該マクロセルに関連付けられて管理されているホームセルにおける無線品質を測定する工程Ａと、
前記移動局が、測定された前記ホームセルにおける無線品質と、待ち受けセルにおける無線品質との比較結果に応じて、該ホームセルにおける待ち受けを試みるためのセルサーチ処理を起動するか否かについて判定する工程Ｂと有し、
前記工程Ｂでは、管理されているマクロセルに該当しないセルでは、ホームセルに対するセルサーチ処理を起動しないことを特徴とする待ち受け方法。
【請求項６】
前記工程Ｂにおいて、前記移動局は、受信した前記報知情報に含まれるオフセット値と前記ホームセルにおける無線品質との和が、前記マクロセルにおける無線品質を上回る場合に、該ホームセルにおける待ち受けを開始することを特徴とする請求項５に記載の待ち受け方法。
【請求項７】
前記移動局が、位置登録処理或いは呼接続処理の際に、ネットワーク装置から通知された情報に基づいて、前記マクロセルと前記ホームセルとを関連付けて管理する工程を有することを特徴とする請求項５に記載の待ち受け方法。
【請求項８】
前記移動局が、前記マクロセルからの報知情報において、前記ホームセル用のプライマリスクランブリングコード、ＰＣＩ或いは周波数が通知されている場合に、該ホームセルのサーチ及び待ち受けを開始する工程を有することを特徴とする請求項５に記載の待ち受け方法。
【発明の詳細な説明】
【技術分野】
【０００１】
本発明は、移動局及び待ち受け方法に関する。
【背景技術】
【０００２】
図１に示すように、同一の位置登録エリアＬＡ＃αに属するマクロセル＃Ａ〜＃Ｇが設置されており、マクロセル＃Ａ内に、移動局ＵＥに対してアクセス権が設定されているホームセル＃ａが設置されている移動通信システムが知られている。ここで、マクロセル＃Ａ〜＃Ｇ内では、周波数＃ｆ１が使用されており、ホームセル＃ａ内では、周波数＃ｆ２が使用されているものとする。【０００３】
かかる移動通信システムにおいて、移動局ＵＥが、ホームセル＃ａにおいて待ち受けを行うためには、ホームセル＃ａに対して位置登録処理を行う必要があった。【０００４】
また、移動局ＵＥは、待ち受けセルを変更するためには、報知情報に含まれている周辺セルを示す情報に基づいて、現在のセルにおける無線品質と、周辺セルにおける無線品質とを比較する必要があった。
【発明の概要】
【発明が解決しようとする課題】
【０００５】
通常、移動局ＵＥは、電源が投入された場合や、新たに位置登録エリアに進入してきた場合や、周期タイマが満了した場合等に、位置登録処理（アタッチ処理）を実施するように構成されている。【０００６】
しかしながら、移動局ＵＥは、同一の位置登録エリア内での待ち受けセルの変更が行われた場合や、周期タイマが起動中である場合等は、移動局ＵＥの冗長な電力消費を抑止するため、位置登録処理（アタッチ処理）を暫く実施しない場合があり、移動局ＵＥが、ホームセル＃ａの近傍に来ても、マクロセル＃Ａにおいて待ち受けを行ったまま滞留し、ホームセル＃ａでの待ち受けの開始が遅れる可能性があるという問題点があった。【０００７】
また、報知情報によって、各マクロセルの周辺セルを示す情報を通知することによって、移動局ＵＥに、ホームセル＃ａを検出させることができるが、多数のホームセルが存在する場合には、かかる報知情報の情報量が多くなり、移動局ＵＥによるセルサーチ処理に掛かる時間が増大するという問題点があった。【０００８】
また、当該ホームセル＃ａにアクセス権を持たない移動局ＵＥも、同様にホームセル＃ａをサーチしてしまうという問題点があった。【０００９】
さらに、位置登録処理において、移動局ＵＥに対して、当該移動局ＵＥに対してアクセス権が設定されているホームセルにおける無線品質の測定を行うように指示することもできるが、移動局ＵＥは、マクロセル＃Ｂ〜＃Ｆ内では、ホームセル＃ａにおける無線品質を測定することができないため、冗長な異周波測定処理により、移動局ＵＥの電力消費が増大する可能性があるという問題点があった。【００１０】
そこで、本発明は、上述の課題に鑑みてなされたものであり、電力消費を抑えつつ、効率的にホームセルにて待ち受けを行うことができる移動局及び待ち受け方法を提供することを目的とする。
【課題を解決するための手段】
【００１１】
本発明の第１の特徴は、移動局であって、マクロセルと、自身に対してアクセス権が設定されているホームセルとを関連付けて管理するように構成されている管理部と、前記マクロセルからの報知情報を受信した場合に、該マクロセルに関連付けられて管理されている前記ホームセルにおける無線品質と、待ち受けセルにおける無線品質との比較結果に応じて、該ホームセルにおける待ち受けを開始するか否かについて判定するように構成されている待ち受け処理部とを具備することを要旨とする。【００１２】
本発明の第１の特徴において、前記待ち受け処理部は、受信した前記報知情報に含まれるオフセット値と前記ホームセルにおける無線品質との和が、前記マクロセルにおける無線品質を上回る場合に、該ホームセルにおける待ち受けを開始するように構成されていてもよい。【００１３】
本発明の第１の特徴において、前記管理部は、位置登録処理或いは呼接続処理の際に、ネットワーク装置から通知された情報に基づいて、前記マクロセルと前記ホームセルとを関連付けて管理するように構成されていてもよい。【００１４】
本発明の第１の特徴において、前記待ち受け処理部は、前記マクロセルからの報知情報において、前記ホームセル用のプライマリスクランブリングコード、ＰＣＩ（Ｐｈｙｓｉｃａｌ  Ｃｅｌｌ  ＩＤ）或いは周波数が通知されている場合に、該ホームセルのサーチ及び待ち受けを開始するように構成されていてもよい。【００１５】
本発明の第２の特徴は、移動局における待ち受け方法であって、前記移動局が、マクロセルからの報知情報を受信した場合に、該マクロセルに関連付けられて管理されているホームセルにおける無線品質を測定する工程Ａと、前記移動局が、測定された前記ホームセルにおける無線品質と、待ち受けセルにおける無線品質との比較結果に応じて、該ホームセルにおける待ち受けを開始するか否かについて判定する工程Ｂとを有することを要旨とする。【００１６】
本発明の第２の特徴において、前記工程Ｂにおいて、前記移動局は、受信した前記報知情報に含まれるオフセット値と前記ホームセルにおける無線品質との和が、前記マクロセルにおける無線品質を上回る場合に、該ホームセルにおける待ち受けを開始してもよい。【００１７】
本発明の第２の特徴において、前記移動局が、位置登録処理或いは呼接続処理の際に、ネットワーク装置から通知された情報に基づいて、前記マクロセルと前記ホームセルとを関連付けて管理する工程を有してもよい。【００１８】
本発明の第２の特徴において、前記移動局が、前記マクロセルからの報知情報において、前記ホームセル用のプライマリスクランブリングコード、ＰＣＩ或いは周波数が通知されている場合に、該ホームセルのサーチ及び待ち受けを開始する工程を有してもよい。
【発明の効果】
【００１９】
以上説明したように、本発明によれば、電力消費を抑えつつ、効率的にホームセルにて待ち受けを行うことができる移動局及び待ち受け方法を提供することができる。
【図面の簡単な説明】
【００２０】
【図１】図１は、本発明の第１の実施形態に係る移動通信システムの構成図である。
【図２】図２は、本発明の第１の実施形態に係る移動通信システムの全体構成の一例を示す図である。
【図３】図３は、本発明の第１の実施形態に係る移動通信システムの全体構成の一例を示す図である。
【図４】図４は、本発明の第１の実施形態に係る移動通信システムの全体構成の一例を示す図である。
【図５】図５は、本発明の第１の実施形態に係る移動通信システムの全体構成の一例を示す図である。
【図６】図６は、本発明の第１の実施形態に係る移動通信システムの全体構成の一例を示す図である。
【図７】図７は、本発明の第１の実施形態に係る移動通信システムの全体構成の一例を示す図である。
【図８】図８は、本発明の第１の実施形態に係る移動局の機能ブロック図である。
【図９】図９は、本発明の第１の実施形態に係る移動局によって管理される対応関係情報の一例を示す図である。
【図１０】図１０は、本発明の第１の実施形態に係る移動局の動作を示すフローチャートである。
【発明を実施するための形態】
【００２１】
（本発明の第１の実施形態に係る移動通信システムの構成）
図１乃至図９を参照して、本発明の第１の実施形態に係る移動通信システムの構成について説明する。
【００２２】
図１に示すように、本実施形態に係る移動通信システムは、同一の位置登録エリアＬＡ＃αに属するマクロセル＃Ａ〜＃Ｇが設置されており、マクロセル＃Ａ内に、移動局ＵＥに対してアクセス権が設定されているホームセル＃ａが設置されている移動通信システムが知られている。ここで、マクロセル＃Ａ〜＃Ｇ内では、周波数＃ｆ１が使用されており、ホームセル＃ａ内では、周波数＃ｆ２が使用されているものとする。
【００２３】
なお、本実施形態に係る移動通信システムは、Ｗ-ＣＤＭＡ方式が適用されている移動通信システムであってもよいし、ＬＴＥ（Ｌｏｎｇ  Ｔｅｒｍ  Ｅｖｏｌｕｔｉｏｎ）方式が適用されている移動通信システムであってもよい。
【００２４】
例えば、本実施形態に係る移動通信システムが、Ｗ-ＣＤＭＡ方式が適用されている移動通信システムである場合、図２に示すように、ホームセル＃ａを管理する無線基地局ＨＮＢ＃ａ及びマクロセル＃Ａ乃至＃Ｇを管理する無線基地局ＮＢ＃Ａ乃至ＮＢ＃Ｇは、１つ又は複数の無線回線制御局ＲＮＣに収容され、かかる無線回線制御局ＲＮＣは、１つ又は複数の交換局ＭＳＣ/ＳＧＳＮに収容されるように構成されていてもよい。
【００２５】
また、本実施形態に係る移動通信システムが、Ｗ-ＣＤＭＡ方式が適用されている移動通信システムである場合、図３に示すように、ホームセル＃ａを管理する無線基地局ＨＮＢ＃ａは、集約装置ＨＮＢ-ＧＷに収容され、マクロセル＃Ａ乃至＃Ｇを管理する無線基地局ＮＢ＃Ａ乃至ＮＢ＃Ｇは、１つ又は複数の無線回線制御局ＲＮＣに収容され、かかる無線回線制御局ＲＮＣ及び集約装置ＨＮＢ-ＧＷは、１つ又は複数の交換局ＭＳＣ/ＳＧＳＮに収容されるように構成されていてもよい。
【００２６】
また、本実施形態に係る移動通信システムが、ＬＴＥ方式が適用されている移動通信システムである場合、図４に示すように、ホームセル＃ａを管理する無線基地局ＨｅＮＢ＃ａ及びマクロセル＃Ａ乃至＃Ｇを管理する無線基地局ｅＮＢ＃Ａ乃至ｅＮＢ＃Ｇは、１つ又は複数の交換局ＭＭＥに収容されるように構成されていてもよい。
【００２７】
また、本実施形態に係る移動通信システムが、ＬＴＥ方式が適用されている移動通信システムである場合、図５に示すように、ホームセル＃ａを管理する無線基地局ＨｅＮＢ＃ａは、集約装置ＨｅＮＢ-ＧＷに収容され、マクロセル＃Ａ乃至＃Ｇを管理する無線基地局ｅＮＢ＃Ａ乃至ｅＮＢ＃Ｇ及び集約装置ＨｅＮＢ-ＧＷは、１つ又は複数の交換局ＭＭＥに収容されるように構成されていてもよい。
【００２８】
また、本実施形態に係る移動通信システムが、Ｗ-ＣＤＭＡ方式が適用されている移動通信システムである場合、図６に示すように、マクロセル＃Ａ乃至＃Ｇを管理する無線基地局ＮＢ＃Ａ乃至ＮＢ＃Ｇは、１つ又は複数の無線回線制御局ＲＮＣに収容され、かかる無線回線制御局ＲＮＣは、１つ又は複数の交換局ＭＳＣ/ＳＧＳＮに収容され、かかる交換局ＭＳＣ/ＳＧＳＮ及びホームセル＃ａを管理する無線基地局ＨＮＢ＃ａは、ＩＭＳ（ＩＰ  Ｍｕｌｔｉｍｅｄｉａ  Ｓｕｂｓｙｓｔｅｍ）に収容されるように構成されていてもよい。
【００２９】
また、本実施形態に係る移動通信システムが、ＬＴＥ方式が適用されている移動通信システムである場合、図７に示すように、マクロセル＃Ａ乃至＃Ｇを管理する無線基地局ｅＮＢ＃Ａ乃至ｅＮＢ＃Ｇは、１つ又は複数の交換局ＭＭＥに収容され、かかる交換局ＭＭＥ及びホームセル＃ａを管理する無線基地局ＨｅＮＢ＃ａは、ＩＭＳに収容されるように構成されていてもよい。
【００３０】
図８に示すように、本実施形態に係る移動局ＵＥは、位置登録処理部１１と、対応関係情報管理部１２と、アクセス情報管理部１３と、待ち受け処理部１４とを具備している。
【００３１】
位置登録処理部１１は、電源が投入された場合や、新たに位置登録エリアに進入してきた場合や、周期タイマが満了した場合等に、位置登録処理（アタッチ処理）を行うように構成されている。
【００３２】
また、位置登録処理部１１は、待ち受けセルが、マクロセル＃Ａからホームセル＃ａに切り替えられた場合には、ホームセル＃ａに対して位置登録処理を行うように構成されている。
【００３３】
対応関係情報管理部１２は、図９に示すように、マクロセル（親マクロセル）＃Ａと、ホームセル＃ａとを関連付けて管理するように構成されている。
【００３４】
アクセス情報管理部１３は、移動局ＵＥに対してアクセス権が設定されているホームセル（例えば、ホームセル＃ａ）を管理するように構成されている。
【００３５】
なお、図９の例では、対応関係情報管理部１２とアクセス情報管理部１３が別々に設けられているが、対応関係情報管理部１２が、アクセス情報管理部１３の機能を含み、マクロセル（親マクロセル）＃Ａと、移動局ＵＥに対してアクセス権が設定されているホームセル＃ａとを関連付けて管理するように構成されていてもよい。
【００３６】
なお、対応関係情報管理部１２は、位置登録処理或いは呼接続処理の際に、ネットワーク装置によって通知された情報に基づいて、マクロセル＃Ａとホームセル＃ａとを関連付けて管理するように構成されていてもよい。
【００３７】
ここで、ネットワーク装置（例えば、交換局ＭＭＥや無線制御装置ＲＮＣ等）は、上述の情報として、マクロセル＃Ａとホームセル＃ａとの対応関係を示す情報を送信する。
【００３８】
待ち受け処理部１４は、マクロセル＃Ａからの報知情報を受信した場合に、マクロセル＃Ａに関連付けられて管理されているホームセル＃ａにおける無線品質と、待ち受けセルにおける無線品質との比較結果に応じて、ホームセル＃ａにおける待ち受けを開始するか否かについて判定するように構成されている。
【００３９】
具体的には、待ち受け処理部１４は、受信した報知情報に含まれるオフセット値とホームセル＃ａにおける無線品質との和が、マクロセル＃Ａにおける無線品質を上回る場合に、ホームセル＃Ａにおける待ち受けを開始するように構成されている。かかるオフセット値は、移動局ＵＥにおいて予め記憶されていてもよい。
【００４０】
一方、待ち受け処理部１４は、対応関係情報管理部１２によって管理されているマクロセル（親マクロセル）に該当しないセルでは、ホームセルに対するセルサーチ処理を起動しない、すなわち、ホームセルにおける無線品質を測定しないように構成されている。
【００４１】
また、待ち受け処理部１４は、待ち受けセルの変更を繰り返し、マクロセル＃Ａにおける待ち受けを介した場合には、マクロセル＃Ａに対応するホームセル＃ａに対するセルサーチ処理を行う、すなわち、マクロセル＃Ａに対応するホームセル＃ａにおける無線品質の測定を開始する。
【００４２】
また、マクロセル＃Ａの報知情報において、ホームセル＃ａを積極的に観測させるためのオフセット値（同周波数用、異周波数用、異システム用等）が含まれていてもよい。かかる場合、通信事業者は、マクロセル＃Ａにおける無線品質状況や輻輳状況等に応じて、マクロセル＃Ａにおいて待ち受けを行っている移動局ＵＥに対して、ホームセル＃ａを積極的に使用させることができる。
【００４３】
待ち受け処理部１４は、マクロセル＃Ａからの報知情報において、ホームセル＃ａ用のプライマリスクランブリングコード、ＰＣＩ或いは周波数通知されている場合に、起動して、ホームセル＃ａのサーチ及び待ち受けを開始するように構成されていてもよい。
【００４４】
（本発明の第１の実施形態に係る移動通信システムの動作）
図１０を参照して、本発明の第１の実施形態に係る移動通信システムの動作、具体的には、移動局ＵＥの動作について説明する。
【００４５】
図１０に示すように、ステップＳ１０１において、移動局ＵＥは、対応関係情報管理部１２を参照して、現在の待ち受けセル（マクロセル）を親マクロセルとするホームセルが存在するか否かについて判定する。
【００４６】
存在しないと判定された場合、本動作は、ステップＳ１０５に進み、移動局ＵＥは、現在の待ち受けセルにおいて待ち受けを継続する。
【００４７】
一方、存在すると判定された場合、ステップＳ１０２において、移動局ＵＥは、上述のホームセルにおけるパイロット信号の受信を試みる。
【００４８】
移動局ＵＥが、当該パイロット信号の受信に失敗した場合、移動局ＵＥが、当該パイロット信号を発見できなかった場合、本動作は、ステップＳ１０５に進み、移動局ＵＥは、現在の待ち受けセルにおいて待ち受けを継続する。
【００４９】
一方、移動局ＵＥが、当該パイロット信号の受信に失敗した場合、すなわち、移動局ＵＥが、当該パイロット信号を発見した場合、ステップＳ１０３において、「マクロセルにおける無線品質（パイロット信号の受信電力）＞ホームセルにおける無線品質（パイロット信号の受信電力）＋オフセット値」が成立するか否かについて判定する。
【００５０】
上述の関係が成立しないと判定された場合、本動作は、ステップＳ１０５に進み、移動局ＵＥは、現在の待ち受けセルにおいて待ち受けを継続する。
【００５１】
一方、上述の関係が成立すると判定された場合、ステップＳ１０４において、移動局ＵＥは、上述のホームセルにおける待ち受けを開始する。
【００５２】
（本発明の第１の実施形態に係る移動通信システムの作用・効果）
本発明の第１の実施形態に係る移動通信システムによれば、移動局ＵＥは、マクロセル＃Ｂ乃至＃Ｆでは、ホームセルに対するセルサーチ処理を起動しない、すなわち、ホームセルにおける無線品質を測定しないように構成されているため、冗長なセルサーチ処理による電力消費の抑止が見込まれる。
【００５３】
また、本発明の第１の実施形態に係る移動通信システムによれば、マクロセル＃Ａの報知情報における周辺セルを示す情報には、ホームセル＃ａが含まれていなくてもよいため、マクロセル＃Ａ内に、アクセス権の異なる多数のホームセルが設置されている場合であっても、マクロセル＃Ａの報知情報のサイズを抑制することができる。
【００５４】
（変更例）
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005559686.tif 000002
【図２】
0005559686.tif 000003
【図３】
0005559686.tif 000004
【図４】
0005559686.tif 000005
【図５】
0005559686.tif 000006
【図６】
0005559686.tif 000007
【図７】
0005559686.tif 000008
【図８】
0005559686.tif 000009
【図９】
0005559686.tif 000010
【図１０】
0005559686.tif 000011